(57)【要約】  照明器具は、照明素子と、複数のプリント回路基板を収容するハウジングを有する。第１のプリント回路基板部分は、照明素子を制御する回路を有し、第２のプリント回路基板部分は、アンテナと、無線周波数信号を第１のプリント回路基板部分に入力される制御信号に変換する回路を有する。第２のプリント回路基板部分は、第１のプリント回路基板部分に作動可能に相互接続され、第１のプリント回路基板部分から突出する向きにハウジング内に収容される。
2017517133.tif 000002
【特許請求の範囲】
【請求項１】
ハウジングと、
前記ハウジング内に収容された照明素子と、
前記ハウジング内に収容され、前記照明素子を制御するように構成された回路を有する第１のプリント回路基板部分と、
アンテナを有し、無線周波数信号を、前記第１のプリント回路基板部分に入力される制御信号に変換するように構成された回路を有する第２のプリント回路基板部分と、を有し、
前記第２のプリント回路基板部分は、前記第１のプリント回路基板部分に作動可能に相互接続され、前記第１のプリント回路基板部分から突出する向きに前記ハウジング内に収容される、装置。
【請求項２】
前記第１のプリント回路基板部分は、第１のプリント回路基板の一部であり、前記第２のプリント回路基板部分は、前記第１のプリント回路基板に結合された第２のプリント回路基板の一部である、請求項１に記載の装置。
【請求項３】
前記ハウジングは、前記第１のプリント回路基板部分を収容する第１の部分と、前記第１の部分から外方に突出する第２の部分を有し、前記第２のプリント回路基板部分は、前記第１のプリント回路基板部分から前記ハウジングの第２の部分の中に突出する、請求項１に記載の装置。
【請求項４】
前記アンテナの少なくとも一部分が、前記ハウジングの第２の部分内に配置される、請求項３に記載の装置。
【請求項５】
前記アンテナの全体が、前記ハウジングの第２の部分内に配置される、請求項３に記載の装置。
【請求項６】
前記ハウジングの第１の部分は、金属材料を含む材料で作られ、前記ハウジングの第２の部分は、非金属材料で作られる、請求項３に記載の装置。
【請求項７】
前記照明素子はＬＥＤを含む、請求項１に記載の装置。
【請求項８】
ハウジングを有し、前記ハウジングは、第１の部分と、前記第１の部分から外方に突出する第２の部分を含み、
更に、前記ハウジング内に収容された照明素子と、
前記ハウジングの第１の部分内に収容され、前記照明素子を制御するように構成された回路を有する第１のプリント回路基板と、
アンテナを有し、無線周波数信号を、前記第１のプリント回路基板に入力される制御信号に変換するように構成された回路を有する第２のプリント回路基板と、を有し、
前記第２のプリント回路基板は、前記第１のプリント回路基板に作動可能に相互接続され、前記ハウジングの第１の部分から前記ハウジングの第２の部分内へ突出する向きに前記ハウジング内に収容される、装置。
【請求項９】
前記アンテナの少なくとも一部分が、前記ハウジングの第２の部分内に配置される、請求項８に記載の装置。
【請求項１０】
前記アンテナの全体が、前記ハウジングの第２の部分内に配置される、請求項８に記載の装置。
【請求項１１】
前記ハウジングの第１の部分は、金属材料を含む材料で作られ、前記ハウジングの第２の部分は、非金属材料で作られる、請求項８に記載の装置。
【請求項１２】
前記照明素子はＬＥＤを含む、請求項８に記載の装置。
【請求項１３】
孔を含む外壁を有するハウジングと、
前記ハウジング内に収容された照明素子と、
前記ハウジング内に収容された駆動部ボックスと、
前記駆動部ボックスを閉鎖し且つ孔を有する駆動部ボックスカバーと、
前記駆動部ボックス内に収容され、前記照明素子を制御するように構成された回路を有する第１のプリント回路基板部分と、
アンテナを有し、無線周波数信号を、前記第１のプリント回路基板部分に入力される制御信号に変換するように構成された回路を有する第２のプリント回路基板部分と、を有し、
前記第２のプリント回路基板部分は、前記駆動部ボックスの内部で前記第１のプリント回路基板部分に作動可能に相互接続され、前記駆動部ボックスから前記駆動部ボックスカバーの孔を通って外方に突出し、前記ハウジングの外壁の孔を通って更に外方に突出し、前記アンテナの少なくとも一部分は、前記ハウジングの外壁の外側に配置される、装置。
【請求項１４】
前記ハウジングは、非金属製のアンテナカバーを含み、前記アンテナカバーは、前記第２のプリント回路基板部分の上にかぶせられ、前記ハウジングの外壁の外側で前記第２のプリント回路基板部分を覆う、請求項１３に記載の装置。
【請求項１５】
前記アンテナカバーは、前記駆動部ボックスカバーの孔を通って外方に突出する部品を有する、請求項１４に記載の装置。
【請求項１６】
前記駆動部ボックスカバーの孔を通って外方に突出する前記アンテナカバーの前記部品は、前記駆動部ボックスカバーに相互連結される、請求項１５に記載の装置。
【請求項１７】
前記アンテナカバーは、前記駆動部ボックスカバーの孔を通って外方に突出する前記部品の上にかぶせられる別の部品を有する、請求項１５に記載の装置。
【請求項１８】
前記アンテナカバーの前記別の部品は、前記外壁の孔を覆うように前記ハウジングの外壁に締結される、請求項１７に記載の装置。
【請求項１９】
前記アンテナの全体が、前記ハウジングの外壁の外部に配置される、請求項１３に記載の装置。
【請求項２０】
前記第１のプリント回路基板部分は、第１のプリント回路基板の部分であり、前記第２のプリント回路基板部分は、前記第１のプリント回路基板に結合された第２のプリント回路基板の部分である、請求項１３に記載の装置。
【発明の詳細な説明】
【技術分野】
【０００１】
本技術は、照明器具の分野に関し、具体的には、無線制御部を備えた照明器具に関する。
【背景技術】
【０００２】
照明器具は、照明領域の隣の壁部又は他の構造体に取付けられるハウジングを含むことがある。ハウジングは、照明素子と、照明素子を制御するための電力制御機構を備えたプリント回路基板（ＰＣＢ）を含む。無線制御部を備えた照明器具では、プリント回路基板は、アンテナと、無線周波数（ＲＦ）信号を受信してこの信号を制御機構と互換性がある制御信号に変換する他の構成要素を含む。プリント回路基板のこれら２つの機能領域は、単一のプリント回路基板又は複数のプリント回路基板に取付けられる。
【発明の概要】
【発明が解決しようとする課題】
【０００３】
しかしながら、ハウジング及びハウジングの内部にプリント回路基板を支持する内部構造体は、無線周波数信号がアンテナに最も効率的に到達するのに必要なアクセスを妨げる場合がある。
【課題を解決するための手段】
【０００４】
実施形態は、照明素子と、単一のプリント回路基板又は複数のプリント回路基板を収容するハウジングを含み、単一又は複数のプリント回路基板は、光源に電力を供給しかつ光源を制御するのに要求される電力部分及び無線周波数部分用の構成要素及び回路の全て又は一部を含む。例えば、第１のプリント回路基板部分は、照明素子を制御する回路を有する。第２のプリント回路基板部分は、アンテナと、無線周波数信号を第１のプリント回路基板部分に入力される制御信号に変換する回路とを有する。第２のプリント回路基板部分は、第１のプリント回路基板部分に作動可能に相互接続され、第１のプリント回路基板部分から突出する向きにハウジング内に収容される。
【０００５】
別の実施形態はまた、ハウジングを含み、ハウジングは、第１の部分と、第１の部分から外方に突出する第２の部分を有する。照明素子はハウジング内に収容される。第１のプリント回路基板は、ハウジングの第１の部分に収容され、照明素子を制御する回路を有する。第２のプリント回路基板は、アンテナと、無線周波数信号を第１のプリント回路基板に入力される制御信号へ変換する回路を有する。第２のプリント回路基板は、第１のプリント回路基板に作動可能に相互接続され、ハウジングの第１の部分からハウジングの第２の部分に突出する向きにハウジング内に収容される。
【０００６】
異なる要約による別の実施形態は、照明素子を収容するハウジングを含む。ハウジングは、孔を備えた外壁を有し、駆動部ボックスを収容する。また、ハウジングは、駆動部ボックスを閉鎖する駆動部ボックスカバーを収容する。駆動部ボックスカバーは孔を有する。第１のプリント回路基板部分は、駆動部ボックス内に収容され、照明素子を制御する回路を有する。第２のプリント回路基板部分は、アンテナと、無線周波数信号を第１のプリント回路基板部分に入力される制御信号に変換する回路を有し、駆動部ボックスの内部で第１のプリント回路基板部分に作動可能に相互接続される。第２のプリント回路基板部分は、第１のプリント回路基板部分に対する様々な向きに駆動部ボックスから外方へ突出して、無線周波数信号の受信を最適化するのがよい。第２のプリント回路基板部分は、駆動部ボックスカバーの孔を通って外方に突出し、ハウジングの外壁の孔を通って更に突出し、アンテナの少なくとも一部分は、ハウジングの外壁の外側に配置される。
【図面の簡単な説明】
【０００７】
【図１】壁に取付けられた照明器具の側面図である。
【図２】図１の器具の各部分を示す分解図である。
【図３】図１の器具を開放状態で示す側面図である。
【図４】図２に示す各部分の拡大図である。
【図５】図１の器具の横断面図である。
【図６】図５に示す各部分の拡大図である。
【図７】照明器具の別の実施形態の部分図である。
【発明を実施するための形態】
【０００８】
以下の詳細な説明は本発明の全般的な原理を例示し、本発明の実施例は添付の図面に示される。
【０００９】
図１に示すように、照明器具１０の実施形態は、ハウジング１２と、レンズ１４を有する。ハウジング１２は、壁１６の適所に取付けられ、レンズ１４は、ハウジング１２内に収容された照明素子からの光を、かかる適所から外方に差し向ける。ハウジング１２の部分１８は、照明素子の無線作動のためのアンテナを覆うのがよい。
【００１０】
例示の実施形態のハウジング１２は、カバー３０と、基部３２を含む。基部３２は、照明器具１０の自動作動のための動きセンサー及び／又は光センサーを含むように構成されることが好ましい。図２の分解図に個別に示すように、基部３２は、略矩形のボックスとして形作られ、開放した上端部３４、側壁３６、及び底壁３８を有する。上端部３４は、ガスケット４０を受入れる周囲溝３９を有するのがよい。側壁３６に、ノックアウト部（孔用パネル部）４２が設けられ、一対の取付けボス４４が、側壁３６のうちの１つから突出する。底壁３８は、１又は２以上の孔を有し、この孔により、例えば図１に示すように、ファスナーが基部３２を壁１６に取付け、又は、ハウジング１２が取付けられる他の構造体に取付ける。また、底壁３８は、壁１６又は他の取付け構造体内の電気ボックスからの電力線を受入れるための１又は２以上の孔を有するのがよい。
【００１１】
カバー３０は、外壁５０と、外壁５０の反対側の開放した内側部５２を有する。開放した内側部５２は、開放した上端部３４における基部３２の周囲寸法及び形状と一致する周囲寸法及び形状を有し、縁部５４は、基部３２の側壁３６に一致する。また、カバー３０は、基部３２上の取付けボス４４に対応する取付けボス５６を有する。取付けボス５６、４４は一緒に、ヒンジピン５８を受入れて、カバー３０を基部３２の上に支持し、図１に示す閉鎖位置と図３に示す完全開放位置との間の枢動を可能にする。解除可能なファスナー６０により、カバー３０を閉鎖位置に固着させるのがよい。
【００１２】
また、カバー３０は、取付けボス５６に隣接したパネル支持面６８を取り囲む略矩形の周囲面６６を有する。照明素子は、所与の実施例ではＬＥＤ７２のアレイを備えた照明パネル７０であり、パネル支持面６８の上に取付けられるのがよい。トリムリング７４は、周囲面６６の上に取付けられ、照明パネル７０の上に僅かに内方に延び、照明パネル７０をパネル支持面６８の適所に保持する。レンズ１４のフランジ部分８０は、トリムリング７４とカバー３０の周囲面６６の間に捕捉され、レンズ１４の本体部分８２は、トリムリング７４を通って外方に突出する。図示の実施形態において、レンズ１４のこの特定の実施例は、ＬＥＤ７２からの光を広い領域上に分散させるように構成される。さらに図示の実施形態に関して、照明素子の所与の実施例は、ＬＥＤ７２のアレイを備えた照明パネル７０であるが、他の適切な照明素子は、例えば、白熱ランプ、ハロゲンランプ、又はＣＦＬランプ等の可視光線を発生させる任意のデバイスを含む。
【００１３】
図２に示す照明器具１０の他の部分は、複数のプリント回路基板部分を備えたプリント回路基板組立体８８を含み、複数のプリント回路基板部分は、１つ又は複数のプリント回路基板上に配置される。図示の実施例では、プリント回路基板組立体８８は、第１のプリント回路基板９０と、第２のプリント回路基板９２を含む。第１のプリント回路基板９０は、駆動部電力基板９０と称され、ＬＥＤ７２の照明機能を制御するように構成された電力制御回路を有する。かかる機能は、オン／オフ、色、ルーメン強度などを含み、駆動部電力基板９０は、本技術分野で公知の任意適切な仕方で適宜構成される。また、第２のプリント回路基板９２は、本技術分野で公知の任意適切な仕方で構成されるが、第２のプリント回路基板９２は、駆動部電力基板９０とは異なり、アンテナ９６と、無線周波数信号を駆動部電力基板９０に入力される電力信号に変換するように構成された回路を含む。従って、第２のプリント回路基板９２は、無線周波数制御基板９２と称される。
【００１４】
組立てられた照明器具１０において、無線周波数制御基板９２は、駆動部電力基板９０に電気的に結合され、アンテナ９６及び信号変換回路は、電力制御回路に作動可能に相互接続される。アンテナ９６及びそれに結合される回路は、駆動部電力基板９０上ではなく、別個の無線周波数制御基板９２上に配置されるので、アンテナ９６は、駆動部電力基板９０の配置及び配向とは異なるように配置され且つ配向される。これにより、アンテナ９６は、そうでなければ駆動部電力基板９０の配置又は配向により課せられる可能性がある制約なしに、ハウジング１２の外側から無線周波数信号を受信するのに最も適した配置及び配向で照明器具１０内に取付けられる。
【００１５】
プリント回路基板組立体８８の様々の部分は、コネクタ、ファスナー、ケーブル、又は他の公知の方法を用いて、作動可能に相互接続される。図示の実施形態では、この特定の実施例の無線周波数制御基板９２は、それに結合される駆動部電力基板９０に対して、図４に詳細に示すように配置される。具体的には、直角ヘッダーブロック１００は、駆動部電力基板９０の一部を横切って延びる。ヘッダーブロック１００を貫通して延びるコネクタピン１０２は、２つの回路基板９０、９２にはんだ付けされ、２つの回路基板９０、９２の間の電気的結合及び構造的支持結合の両方を達成する。従って、所与の実施例の無線周波数制御基板９２は、駆動部電力基板９０の一方の面から直角に突出する。プリント回路基板組立体の特定の実装に関して、必要に応じて他の配向を用いることができる。
【００１６】
図２をさらに参照すると、追加の部分は、駆動部ボックス１１０と、駆動部カバー１１２を含む。図５に示すように、駆動部カバー１１２は、駆動部ボックス１１０上にかぶせられるのがよい。部分１１０、１１２は、外壁５０の内側でカバー３０に固定されるためのタブ１１４を有するのがよい。
【００１７】
駆動部電力基板９０は、駆動部ボックス１１０内に取付けられ、埋込み用化合物又は取付けタブ等（図示せず）によって、駆動部ボックス１１０内に支持されるのがよい。この構成において、無線周波数制御基板９２は、駆動部電力基板９０から外壁５０のところの駆動部カバー１１２に向かって突出している。駆動部カバー１１２のスロット１１５（図２）は、外壁５０のスロット１１７と整列し、無線周波数制御基板９２がスロット１１５、１１７を通って外方に突出してその位置でカバー３０から出現するための隙間を有する。無線周波数制御基板９２は、好ましくは、アンテナ９６の少なくとも一部分が、最も好ましくは、アンテナ９６の全体が、カバー３０の外側に位置決めされるように、カバー３０の外側に十分に突出することが好ましい。このことは、アンテナ９６が、照明器具１０の他の部分からの干渉を殆ど受けずに又は全く受けずに、無線周波数信号を受信するのを助ける。
【００１８】
図１を参照して言及したように、アンテナカバーとして機能するハウジング１２の部分１８は、無線周波数制御基板９０の外方へ突出した部分を覆うように取付けられる。図５及び図６に示すように、所与の実施例におけるアンテナカバー１８は、２つのカバー部分１２０、１２２を含む。第１のカバー部分１２０は、スロット１１５、１１７の中を通して上向きに受入れられ、駆動部カバー１１２とインターロック式にスナップ係合する固定タブ１２４を有する。第２のカバー部分１２２は、第１のカバー部分１２０を覆うように外壁５０のところに配置され、ファスナー１２８によって外壁５０に固着される。第２のカバー部分１２２の底部にある溝部１２９は、シールを構成するＯリングを受入れる。
【００１９】
さらに、ハウジング１２のカバー３０及び基部３２に関して、それらの部分は、無線周波数信号を透過させる必要がなく、アルミニウム等の本技術分野で公知の任意適切な材料で形成される。無線周波数制御基板９２が、ハウジング１２の他の部分からアンテナカバー１８の中に外方に突出し、アンテナカバー１８は、限定されるものではないが、プラスチック等の無線周波数信号が通過するのを可能にする非金属材料で形成されることが好ましい。
【００２０】
前述のように、最適な無線周波数受信のために、アンテナの他の配向を用いてもよい。例えば、図７に部分的に示す実施形態では、プリント回路基板組立体８８のアンテナ９６を含む部分は、カバー３０の外壁５０に接して平らに水平に配置される。
【００２１】
本明細書に記載された装置の形態は、本発明の好ましい実施形態を構成するが、本発明は、これらの詳細な形態に限定されず、本発明の範囲から逸脱することなく変更することができる。
【図１】
2017517133.tif 000003
【図２】
2017517133.tif 000004
【図３】
2017517133.tif 000005
【図４】
2017517133.tif 000006
【図５】
2017517133.tif 000007
【図６】
2017517133.tif 000008
【図７】
2017517133.tif 000009
【国際調査報告】
2017517133.tif 000010